(57)【要約】      （修正有）【課題】原稿の画像読取、搬送を緊急に停止させたい際、画像読取装置の動作を停止させるスイッチを押すことなく搬送を停止させても、動作停止前までに読み込んだ画像を取得できる画像読取装置を提供する。【解決手段】画像読取装置の搬送部の開閉機構を開くことにより、動作停止スイッチを押した時と同様に、正常に搬送を停止させることができ、また、情報処理装置に紙無し状態である通知をすることにより、異常メッセージが情報処理装置から出されることなく、正常に読取終了させることができる。【選択図】図６
2010119014.tif 000002
【特許請求の範囲】
【請求項１】
積載部に積載された原稿を搬送路に搬送する搬送手段と、
搬送路を搬送される原稿の画像を読み取る読取手段と、
前記搬送路が開放された開放状態と該搬送路が正常となる閉状態に該搬送路を開閉できる開閉機構と、
原稿の搬送中に前記開閉機構を操作して前記搬送路を開放した場合に、前記積載部の原稿無し状態と認識する制御手段と、
を有することを特徴とする画像読取装置。
【請求項２】
前記積載部の原稿の有無を検知するための原稿検知手段を更に有し、
原稿の搬送中に前記搬送路を開口した場合に、前記原稿無し状態と前記制御手段により認識されるように、前記原稿検知手段は構成されている、
ことを特徴とする請求項１記載の画像読取装置。
【請求項３】
前記搬送路の開閉操作を検知するための開閉検知手段を更に有し、
前記制御手段は、原稿の搬送中に、前記開閉検知手段の出力により前記搬送路の開閉操作を検知した場合に、前記原稿無し状態の認識とみなすことを特徴とする請求項１記載の画像読取装置。
【請求項４】
前記制御手段は、原稿の搬送中に前記原稿無し状態を認識した場合、外部接続された情報処理装置に通知することを特徴とする画像読取装置。
【発明の詳細な説明】
【技術分野】
【０００１】
本発明は、搬送路に搬送される原稿の画像を読み取る画像読取装置に関するものである。
【背景技術】
【０００２】
原稿台に載置された複数枚の原稿を１枚ずつ分離して搬送路に給送し、搬送される原稿の画像を読み取る画像読取装置では、例えば、読み取り原稿を使用者の誤操作により間違えて給紙し、読み取り最中に搬送を停止したい場合、画像読取装置にある読取動作停止スイッチを押すことで搬送を停止することができる（例えば特許文献１参照）。
【特許文献１】特開２０００−２９５４２０号公報
【発明の開示】
【発明が解決しようとする課題】
【０００３】
しかし、例えば、読取動作停止スイッチが使用者にとって見つけにくい箇所に配置してある場合、スイッチを探すという手間が発生し、緊急を要する時、すぐ停止できないという問題がある。また、例えば原稿のジャムが発生した場合、いち早く取り出すために搬送路を開放するという方法に比べて、迅速な停止ができず原稿をいためてしまうという問題がある。また、従来の画像読取装置では搬送路を開放して迅速に対処を行った場合には、情報処理装置に異常終了メッセージが送出される。この場合は正常終了とならないため、エラー回復処理を行う必要があり手間がかかる。また、ＰＣ等の情報処理装置で画像を取得するために使用するキャプチャアプリケーション等の種類によっては、原稿束の読み取り中に異常終了になると、異常終了が発生する前までに読み取りを行った画像を取得することができないものもある。本発明の目的は、上記のような課題のうち少なくとも１つを解決することのできる画像読取装置を提供することにある。
【課題を解決するための手段】
【０００４】
上記目的を達成するために、本発明の画像読取装置は、積載部に積載された原稿を搬送路に搬送する搬送手段と、搬送路を搬送される原稿の画像を読み取る読取手段と、前記搬送路が開放された開放状態と該搬送路が正常となる閉状態に該搬送路を開閉できる開閉機構と、原稿の搬送中に前記開閉機構を操作して前記搬送路を開放した場合に、前記積載部の原稿無し状態と認識する制御手段と、を有することを特徴とする。
【発明の効果】
【０００５】
本発明によれば、搬送路が開放されたときに、画像読取装置の制御手段が原稿無しを認識するように構成したので、緊急停止させるための搬送路の開放を行った場合に、例えばＰＣ等の情報処理装置へ原稿なし状態であることを通知するようにできる。このようにすれば、情報処理装置が異常終了メッセージを出したりすることなく、正常終了をさせることができる。ユーザが使用するキャプチャアプリケーション等の種類に関係なく、原稿束の画像読み取りを行っている間に搬送路を開放した場合でも、開放する前までに読み取られた原稿画像をユーザは取得することができる。このように、緊急停止時にそれまで読み取った画像データを無駄にせず、読取作業の効率を向上させることができる。
【発明を実施するための最良の形態】
【０００６】
以下、本発明の実施の形態について図面を参照しながら説明する。
【実施例１】
【０００７】
図１は本発明の第１の実施の形態の一例である画像読取装置の外観斜視図、図２は図１に示す画像読取装置のカバー開時の概略断面図である。図１に示すように、本実施形態の画像読取装置２００は、複数枚の原稿４０１が積載される積載部としての原稿台４０２と、排紙された原稿４０１が載置される排紙台４０３と、原稿４０１の載置位置を規制する原稿規制板４０５、原稿搬送路を開放状態にする開放位置と原稿搬送路を閉じて正常状態（閉状態）とする閉位置とに開閉できるカバー４０６ａ、カバーを開閉させる取っ手４０６ｂとを開閉機構に備えている。又、原稿４０１の画像読取を開始させるためのスタートボタン１８０４と、画像読取を停止させるためのストップボタン１８０５を備えている。
【０００８】
図２に示すように、画像読取装置２００は、原稿４０１を搬送路に給送する給送ローラ５０３と、原稿が重送した際に給送方向に対し逆回転し原稿を分離する分離ローラ５０２と、原稿台の原稿４０１の有無を検知する給紙センサ５０４とを備える。
【０００９】
また、画像読取装置２００は、原稿４０１の通過を検知するレジストセンサ５０６と、原稿４０１の表面の画像を読み取る表面読取センサ５０７と、原稿４０１の裏面の画像を読み取る裏面読取センサ５０８、カバー開閉検知センサ５１３ａ、突起部材５１３ｂとを備える。カバー４０６ａ側の突起部材５１３ｂが、カバー開閉検知センサ５１３ａの開口部に入ることにより、カバー開閉検知センサがＯＮになり、突起部材５１３ｂが、開口部から外れることによりＯＦＦになる。
【００１０】
更に、画像読取装置２００は、給送ローラ５０３、分離ローラ５０２および排紙ローラ５１０等を駆動するメインモータ５０９と、排紙ローラ５１０に追従して回転する排紙従動ローラ５１２と、排紙される原稿４０１を検知する排紙センサ５１１とを備える。更に、図１に示す取っ手４０６ｂを手前に引くことにより、カバー４０６ａを開くことができるようになっている。尚、上述のようにカバーを閉じた状態でセンサはＯＮ、カバーが開いた状態でセンサはＯＦＦとなり、カバー開閉検知センサからカバーの開閉を表す信号が出力される。
【００１１】
図４は、画像読取装置２００の制御系を説明するためのブロック図である。図４に示すように、画像読取装置２００は、表面読取センサ５０７および裏面読取センサ５０８で読み取った画像データに対して色調補正などの所定の画像処理を行う画像処理部２０３と、画像処理された画像データを記憶する画像メモリ２０４とを有する。また、画像読取装置２００は、原稿搬送用のローラ等を駆動するための駆動モータを制御する駆動制御部２０５と、給紙センサ５０４、レジストセンサ５０６、排紙センサ５１１を制御する原稿検知センサ制御部２０６と、装置全体を制御するＣＰＵ２０８、フォトインタラプタ等からなるカバー開閉検知センサを発光させ、受光した光の有無を表す信号をＣＰＵ２０８に向けて出力する等の制御を行うカバー開閉検知センサ制御部２１１とを有する。
【００１２】
更に、画像読取装置２００は、ＣＰＵ２０８が実行する各種制御プログラムを保持するフラッシュメモリ２０７と、駆動制御部２０５などの制御タイミング信号を発生するタイマ２０９と、画像データを送信するＳＣＳＩ制御部２１０と、スタートボタン１８０４、ストップボタン１８０５の押下を認識するためのスイッチ制御部２１３とを有する。画像読取装置２００には、ＳＣＳＩ制御部２１０を介してホストコンピュータ２１４が外部接続されている。ホストコンピュータ２１４には、画像読取装置２００を制御するためのスキャナドライバや画像キャプチャアプリケーションがインストールされている。また、ＰＣ等のホストコンピュータ２１４には、マウス／キーボード２２１やディスプレイ２２０が接続されている。
【００１３】
また、画像読取装置２００では、読み取り開始前に、ＳＣＳＩ制御部２１０経由でホストコンピュータ２１４からの原稿の読み取り設定を受信したり、画像読み取り開始の指示を受信すること等が可能である。また、スタートボタン１８０４と、ストップボタン１８０５の操作により、画像読み取り開始／停止を可能とする設定をホストコンピュータ２１４から行うことも可能である。
【００１４】
次に、図５〜図７を参照して、画像読取装置２００における原稿４０１の画像読取処理を説明する。フラッシュメモリ２０７に格納されたプログラムがＣＰＵ２０８により読み出されて実行される。なお、これらの処理の一部または全てをハードウエアで実現してもよい。
【００１５】
図５は、画像読取装置２００におけるスキャン処理を例示して説明するためのフローチャート図である。図５において、画像読取装置２００は、まずステップＳ６００でホストコンピュータ２１４からＳＣＳＩ制御部２１０を介して画像読み取り開始が通知されたか、もしくは、スタートボタン１８０４が押されたかどうかを判別する。この判別の結果、スキャン開始の通知や指示がされず（ステップＳ６００でＮＯ）、かつカバーが開かれたときは（ステップＳ６０１でＹＥＳ）、ステップＳ６１０へ進み、図７に例示するスキャン終了処理を実行する。
【００１６】
スキャン開始通知があったときは（ステップＳ６００でＹＥＳ）、給紙センサ５０４からの信号により原稿４０１が存在することを確認した後（ステップＳ６０２でＹＥＳ）、メインモータ５０９を駆動して原稿４０１の給紙を開始する（ステップＳ６０３）。原稿台４０２に載置された原稿４０１は、給送ローラ５０３と分離ローラ５０２とにより１枚ずつ分離され、搬送路に給送される。
【００１７】
次に、搬送路に給紙された原稿４０１の先端がレジストセンサ５０６を通過していないときは（ステップＳ６０４でＮＯ）、カバー開閉検知センサ５１３aによりカバーが開いたか否かを判別し（ステップＳ６１１）、カバーが開いていると検知した時は（ステップＳ６１１でＹＥＳ）、図６に例示するカバーオープン後処理を行う（ステップＳ６１３）。尚、例示したカバーオープン後処理は、モータを停止し（ステップＳ８０１）、画像を消去し（ステップＳ８０２）、次原稿が無い旨をホストコンピュータ２１４に通知し（ステップＳ８０３）、ステップＳ６００へ戻って処理を繰り返すという動作である。カバーが開いていないと検知した時は、（ステップＳ６１１でＮＯ）、ステップＳ６０４へ戻る。
【００１８】
一方、搬送路に給紙された原稿４０１の先端がレジストセンサ５０６を通過した（ステップＳ６０４でＹＥＳ）場合、その一定時間後に表面読取センサ５０７および裏面読取センサ５０８を制御して原稿４０１の画像読取を開始する（ステップＳ６０５）。ステップＳ６０５の画像読み取りが開始された後、原稿４０１の後端がレジストセンサ５０６を通過していないときは（ステップＳ６０６でＮＯ）、所定の画像読取処理を続けながら、カバー開閉検知センサ５１３によりカバーが開いたか否かを判断し（ステップＳ６１５）、カバーが開いていると検知した時は（ステップＳ６１５でＹＥＳ）、カバーオープン後処理を行う（ステップＳ６１７）。また、カバーが開いていないと検知した時は（ステップＳ６１５でＮＯ）、ステップＳ６０６へ戻る。
【００１９】
一方、原稿４０１の後端がレジストセンサ５０６を通過した場合（ステップＳ６０６でＹＥＳ）、その一定時間後に表面読取センサ５０７および裏面読取センサ５０８を制御して原稿４０１の読み取りを終了する（ステップＳ６０７）。
【００２０】
次に、原稿４０１の後端がレジストセンサ５１１を通過していないときは（ステップＳ６０８でＮＯ）、所定の画像読取処理を続けながら、カバー開閉検知センサ５１３ａによりカバーが開いたか否かを判断し（ステップＳ６１８）、カバーが開いていると検知した時は（ステップＳ６１８でＹＥＳ）、カバーオープン後処理を行う（ステップＳ６１９）。また、カバーが開いていないと検知した時は（ステップＳ６１８でＮＯ）、ステップＳ６０８へ戻る。
【００２１】
一方、原稿４０１の後端が排紙センサ５１１を通過したら（ステップＳ６０８でＹＥＳ）、画像をホストコンピュータ２１４に転送し（ステップＳ６０９）、原稿４０１が排紙台４０３に排紙して（ステップＳ６２０）、メインモータ５０９を停止し（ステップＳ６２１）、ステップＳ６００へ戻って処理を繰り返す。原稿台４０２に載置された複数枚の原稿４０１を全て読み取り終わって、給紙センサ５０４により原稿４０１を検知しなくなったときは、（ステップＳ６０２でＮＯ）、ステップＳ６１０へ進み、スキャン終了処理を実行する。
【００２２】
図６は、図５のステップＳ６１９における原稿搬送中のカバーオープンに対する後処理を例示して説明するためのフローチャート図である。図６において、スキャン終了処理としてメインモータ５０９を停止（ステップＳ８０１）した後、メモリ２０４内の画像を消去し（ステップＳ８０２）、原稿が無い旨を通知し（ステップＳ８０３）、スキャン開始を待機するステップＳ６００へ戻る。
【００２３】
図７は、図５のステップＳ６１０におけるスキャン終了処理を例示して説明するためのフローチャート図である。図７において、スキャン終了処理としてメインモータ５０９を停止（ステップＳ９０１）した後、次の原稿がない旨をホストコンピュータ２１４に通知して（ステップＳ９０２）、本処理を終了する。
【００２４】
以上説明したように本実施形態では、画像読取装置のカバーを開くことにより、ホストコンピュータ側へは紙無し状態である通知をするようになっている。この処理により、ホストコンピュータ２１４が画像読取装置を制御して行う読取処理異常終了とならずに、それまでに読み取られた原稿の画像データをむだにすることなく正常終了させることができる。
【実施例２】
【００２５】
図３は、搬送路を開放する為にカバーを開くための取っ手を、スライドレバー式に変更したものである。本実施例は、図３（Ａ）に例示するカバー開閉操作部４０７ａ内の図３（Ｂ）に例示するスライドレバー４０７ｂを、機体中心方向に水平方向にスライドさせることにより、不図示のストッパーが解除され、カバーを開いて搬送路を開放できる構成となっている。
【００２６】
図３（Ｂ）は、図３の４０７ｂの裏面側から見たセンサ４０７ｃを例示する図である。スライドレバー４０７ｂを中心に水平方向にスライドさせることで、フォトインタラプタ等のセンサ４０７ｃがＯＮ状態になる。このセンサがＯＮにされたことにより、カバーが開かれた状態であることを表す信号がカバー開閉検知センサ制御部２１１からＣＰＵ２０８に入力され、ＣＰＵ２０８は搬送、画像読取を停止し、ホストコンピュータ側へは紙無し状態であることを通知する。
【００２７】
なお、上記各実施例は、スタートボタン１８０４、ストップボタン１８０５が画像読取装置２００に無くてもよい。
【００２８】
なお、本発明は、上記実施形態に例示したものに限定されるものではなく、本発明の要旨を逸脱しない範囲において適宜変更可能である。例えばカバー開閉検知センサ５１３ａを設けない場合等では、給紙センサを用いて搬送路の開放時に原稿無しを検知するようにしてもよい。このような構成にするために、給紙センサをメカニカルスイッチや反射型光センサ等とし、カバー４０６ａ側に設ける等の方法が考えられる。また、搬送路の開放時に原稿無しと認識するのではなく、原稿無し状態と同等の処理を行うべき状態と認識するようにしてもよい。上記各実施例に他の実施例の構成要素を追加してもよく、本発明に含まれる。
【００２９】
また、上記実施形態では、ホストコンピュータ２１４との画像転送インターフェースにＳＣＳＩを用いたが、ＵＳＢやＦｉｒｅＷｉｒｅ（商標）有線ＬＡＮ、無線ＬＡＮ、その他の無線通信、赤外線通信等を用いてもよい。
【図面の簡単な説明】
【００３０】
【図１】本発明の実施例１の画像読取装置の外観斜視図
【図２】実施例１の画像読取装置の概略断面図
【図３】本発明の実施例２の画像読取装置の外観斜視図及び、スライド式カバー開閉レバーの裏面図
【図４】画像読取装置の制御系を説明するためのブロック図
【図５】画像読取装置におけるスキャン処理を説明するためのフローチャート
【図６】カバーオープン後処理を説明するためのフローチャート
【図７】スキャン終了処理を説明するためのフローチャート
【符号の説明】
【００３１】
２００  画像読取装置２０３  画像処理部
２０４  画像メモリ
２０５  駆動制御部
２０６  原稿検知センサ制御部
２０７  フラッシュメモリ
２０８  ＣＰＵ（制御手段）
２０９  タイマ
２１０  ＳＣＳＩ制御部 
２１１  カバー開閉検知センサ制御部２１３  スイッチ制御部
２１４  ホストコンピュータ
２２０  ディスプレイ
２２１  マウス／キーボード
４０１  原稿
４０２  原稿台（積載部）
４０３  排紙台
４０５  原稿規制板
４０６ａ  本体カバー
４０６ｂ  カバー開閉用取っ手
４０７ａ  カバー開閉操作部
４０７ｂ  カバー開閉スライドレバー
４０７ｃ  センサ
５０２  分離ローラ
５０３  給送ローラ（給送手段）
５０４  給紙センサ
５０６  レジストセンサ
５０７  表面読取センサ（読取手段）
５０８  裏面読取センサ（読取手段）
５０９  メインモータ
５１０  排紙ローラ
５１１  排紙センサ
５１２  排紙従動ローラ
５１３ａ  カバー開閉検知センサ
５１３ｂ  センサ用部材
１８０４  スタートボタン
１８０５  ストップボタン
【図１】
2010119014.tif 000003
【図２】
2010119014.tif 000004
【図３】
2010119014.tif 000005
【図４】
2010119014.tif 000006
【図５】
2010119014.tif 000007
【図６】
2010119014.tif 000008
【図７】
2010119014.tif 000009